Podtech/llm-jp-corpus-v4-ja_patent huggingface dataset:
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
被写体を透過した放射線によって形成される、エネルギー分布の異なる３パターンの放射線の各々の該被写体中の透過の程度を表す３つの放射線画像を入力とし、該３つの放射線画像の相対応する画素毎に所定の重みづけ係数を用いた重みづけ総和を求めることによって、前記被写体中の軟部成分・骨成分・骨成分よりも原子番号の高い元素からなる重元素成分のうちの少なくとも１つを表す画像成分を分離する成分分離手段を備えたことを特徴とする画像成分分離装置。
【請求項２】
前記成分分離手段が、前記３つの放射線画像の各々に対応する前記エネルギー分布を表すエネルギー分布情報を取得し、該エネルギー分布情報および分離対象の前記成分に応じて、前記重みづけ係数を決定するものであることを特徴とする請求項１記載の画像成分分離装置。
【請求項３】
前記成分分離手段が、前記３つの放射線画像の少なくとも１つから得られる、前記各成分の厚さと所定の関係を有するパラメータに基づいて、前記画素毎に前記重みづけ係数を決定するものであることを特徴とする請求項１または２記載の画像成分分離装置。
【請求項４】
前記成分分離手段が、前記放射線画像の各画素位置における放射線の露光量を前記各成分における放射線の減衰量の和として表し、該各成分における減衰量を前記エネルギー分布に応じて前記成分毎に決定される減弱係数と該各成分の厚さとを用いて表したモデルに前記各放射線画像を適応させ、分離対象外の前記成分における減衰量が所定の基準を満たす程度に小さくなるように、前記重みづけ係数を決定するものであることを特徴とする請求項１記載の画像成分分離装置。
【請求項５】
前記成分分離手段が、前記３つの放射線画像の各々に対応する前記エネルギー分布を表すエネルギー分布情報を取得し、取得された前記エネルギー分布情報に応じて、前記各成分における減弱係数を決定するものであることを特徴とする請求項４記載の画像成分分離装置。
【請求項６】
前記成分分離手段が、前記３つの放射線画像の少なくとも１つから得られる、前記各成分の厚さと所定の関係を有するパラメータに基づいて、前記３つの放射線画像の各々の前記各成分における減弱係数を、該減弱係数に対応する前記成分以外の成分の厚さが大きくなるほど単調減少するように、前記画素毎に決定することを特徴とする請求項４または５記載の画像成分分離装置。
【請求項７】
前記パラメータが、前記３つの放射線画像のうちの１つの各画素における放射線量の対数値、前記３つの放射線画像のうちの２つの間での各画素における放射線量の対数値の差、該各画素における放射線量の比の対数値のいずれかであることを特徴とする請求項３または６記載の画像成分分離装置
【請求項８】
前記成分分離手段によって分離された画像成分による成分画像と前記被写体と同一の被写体を表す合成対象画像の相対応する画素毎に所定の重みづけ係数を用いた重みづけ総和を求めることによって、前記両画像を合成する画像合成手段をさらに備えたことを特徴とする請求項１から７のいずれか１項に記載の画像成分分離装置。
【請求項９】
前記画像合成手段が、前記成分画像に表された画像成分を前記合成対象画像とは異なる色に変換して前記合成を行うものであることを特徴とする請求項８記載の画像成分分離装置。
【請求項１０】
前記画像合成手段が、前記成分画像中の画素値が所定の閾値より小さい画素の画素値が0となるように階調変換を行い、変換後の前記成分画像と前記合成対象画像との前記合成を行うものであることを特徴とする請求項８または９に記載の画像成分分離装置。
【請求項１１】
コンピュータが、被写体を透過した放射線によって形成される、エネルギー分布の異なる３パターンの放射線の各々の該被写体中の透過の程度を表す３つの放射線画像を入力とし、該３つの放射線画像の相対応する画素毎に所定の重みづけ係数を用いた重みづけ総和を求めることによって、前記被写体中の軟部成分・骨成分・骨成分よりも原子番号の高い元素からなる重元素成分のうちの少なくとも１つを表す画像成分を分離することを特徴とする画像成分分離方法。
【請求項１２】
コンピュータに、被写体を透過した放射線によって形成される、エネルギー分布の異なる３パターンの放射線の各々の該被写体中の透過の程度を表す３つの放射線画像を入力として、該３つの放射線画像の相対応する画素毎に所定の重みづけ係数を用いた重みづけ総和を求めさせることによって、前記被写体中の軟部成分・骨成分・骨成分よりも原子番号の高い元素からなる重元素成分のうちの少なくとも１つを表す画像成分を分離する処理を実行させることを特徴とする画像成分分離プログラム。
【手続補正２】
【補正対象書類名】明細書
【補正対象項目名】００８６
【補正方法】変更
【補正の内容】
【００８６】
次に、減弱係数決定部２４は、取得された管電圧Ｖ1、Ｖ2、Ｖ3の各々の値を検索キーとして減弱係数テーブル３２を参照し、各管電圧に対応する画像毎・分離対象の成分毎の減弱係数を取得・決定する(#11)。図９に示した減弱係数テーブルの設定の場合、管電圧Ｖnの画像Ｉnの軟部成分に対する減弱係数はαn、骨成分に対する減弱係数はβn、重元素成分に対する減弱係数はγnとなる（n＝1、2、3）。
【手続補正３】
【補正対象書類名】明細書
【補正対象項目名】０１０６
【補正方法】変更
【補正の内容】
【０１０６】
また、合成対象画像は、入力画像や成分画像以外のものを含んでいてもよい。図１６は、その一例として、入力画像と同じ被写体の同一部位を撮影した放射線画像Ｉ4と重元素画像Ｉhが合成対象画像として選択された場合に生成される画像を模式的に表したものである。まず、成分画像生成部２３が、画像Ｉ1、Ｉ2、Ｉ3の相対応する画素毎にｈ1・Ｉ1＋ｈ2・Ｉ2＋ｈ3・Ｉ3で表される重みづけ総和を算出することによって、軟部成分と骨成分が除去された重元素画像Ｉhが生成される。次に、画像合成部２５が、所定の重みづけ係数ｗ5、ｗ6を用いて、画像Ｉ4と重元素画像Ｉhの相対応する画素毎にｗ5・Ｉ1＋ｗ6・Ｉhで表される重みづけ総和を算出することによって、入力画像Ｉ4と重元素画像Ｉhとが合成された合成画像Ｉx3が生成される。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
生体の表面に複数の光信号を出射する光源装置と、
前記生体の内部を前記複数の光信号が通過して該生体の表面から放出される複数の光信号を検出する受光素子と、を備え、
前記光源装置は、サブマウント上に搭載され可視から赤外の波長範囲で互いに異なる波長を有する複数の半導体発光素子と、
前記複数の半導体発光素子に接続され光信号出力を制御して、異なる波長の光信号を放出させる駆動用回路と、
前記複数の半導体発光素子から放射される各々の光信号出力を検知する一つの光出力モニタ素子とが一つに収納されたパッケージを具備してなり、
前記一つの光出力モニタ素子で検出された複数の光信号を、該それぞれの波長を発する前記半導体発光素子に接続された前記駆動用回路の各々に帰還させることにより、前記複数の半導体発光素子の光信号出力の制御を行うことを特徴とする生体光計測装置。
【請求項２】
前記複数の半導体発光素子から発する光信号は、前記生体を組成する複数の生体物質に対する前記複数の半導体発光素子から発する光信号の波長ごとの吸収係数の差が、所定値より大きくなるように選定された２種類の波長と、前記２種類の波長の中間の波長を少なくとも１種類含むことを特徴とする請求項１に記載の生体光計測装置。
【請求項３】
前記複数の光信号の波長の中で最も短い波長が、７０５±５ｎｍであることを特徴とする請求項１記載の生体光計測装置。
【請求項４】
前記複数の光信号が、７５５±５ｎｍを含む波長を有することを特徴とする請求項１記載の生体光計測装置。
【請求項５】
前記光源装置および前記受光素子が、前記生体の体温を検知できる程度の距離に配置されていることを特徴とする請求項１に記載の生体光計測装置。
【請求項６】
前記半導体発光素子から放射される光を拡げる手段を有することを特徴とする請求項５に記載の生体光計測装置。
【請求項７】
使用環境における前記半導体発光素子の波長変動が、前記半導体発光素子ごとに±５ｎｍ以内であることを特徴とする請求項５に記載の生体光計測装置。
【請求項８】
前記半導体発光素子の光放出端面における、該光放出端面から放射される光の波長の反射率が、５０％以上であることを特徴とする請求項５に記載の生体光計測装置。
【請求項９】
前記半導体発光素子が、セルフパルセーション動作をすることを特徴とする請求項５に記載の生体光計測装置。
【請求項１０】
前記半導体発光素子の少なくとも一つが、格子定数ａを有するＧａＡｓ基板上に設けられ、面内の格子定数ａｗを有するＩｎ１−ｘＧａｘＡｓｙＰ１−ｙ量子井戸層および障壁層からなる発光層を有し、
前記発光層は、前記量子井戸層がε（％）＝（ａｗ−ａ）／ａ×１００で定義される歪εが０．４％≦ε≦１．４％で、その組成が０．１０≦ｙ≦０．４５であり、発光する波長が７００ｎｍ以上７６０ｎｍ以下であることを特徴とする請求項１に記載の生体光計測装置。
【請求項１１】
前記半導体発光素子の少なくとも一つが、格子定数ａを有するＧａＡｓ基板上に設けられ、面内の格子定数ａｗを有するＩｎ１−ｘＧａｘＡｓｙＰ１−ｙ量子井戸層および障壁層からなる発光層を有し、
前記発光層は、前記量子井戸層がε（％）＝（ａｗ−ａ）／ａ×１００で定義される歪εが０．４％≦ε≦１．２％で、その組成が０．１０≦ｙ≦０．２５であり、発光する波長が７００ｎｍ以上７３０ｎｍ以下であることを特徴とする請求項１に記載の生体光計測装置。
【請求項１２】
前記半導体発光素子の少なくとも一つが、格子定数ａを有するＧａＡｓ基板上に設けられ、面内の格子定数ａｗを有するＩｎ１−ｘＧａｘＡｓｙＰ１−ｙ量子井戸層および障壁層からなる発光層を有し、
前記発光層は、前記量子井戸層がε（％）＝（ａｗ−ａ）／ａ×１００で定義される歪εが０．４％≦ε≦０．９％で、その組成が０．１０≦ｙ≦０．２であり、発光する波長が７００ｎｍ以上７２０ｎｍ以下であることを特徴とする請求項１に記載の生体光計測装置。
【請求項１３】
前記半導体発光素子の少なくとも一つが、格子定数ａを有するＧａＡｓ基板上に設けられ、面内の格子定数ａｗを有するＩｎ１−ｘＧａｘＡｓｙＰ１−ｙ量子井戸層および障壁層からなる発光層を有し、
前記発光層は、前記量子井戸層がε（％）＝（ａｗ−ａ）／ａ×１００で定義される歪εが０．６％≦ε≦１．４％で、その組成が０．２０≦ｙ≦０．３５であり、発光する波長が７２５ｎｍ以上７６０ｎｍ以下であることを特徴とする請求項１に記載の生体光計測装置。
【請求項１４】
計測対象とすべき生体を組成する複数の生体物質のそれぞれが有する計測用の光の波長ごとの吸収係数の差が、所定値より大きくなるような２種類の波長と、前記２種類の波長の中間の波長の少なくとも１つとをそれぞれ発する複数のレーザ装置が一つのパッケージに搭載された半導体レーザ装置。
【請求項１５】
前記レーザ装置が有する複数の波長の中で最も短い波長が、７０５±５ｎｍである請求項１４記載の半導体レーザ装置。
【請求項１６】
前記複数の波長に、７５５±５ｎｍの波長を含む請求項１４記載の半導体レーザ装置。
【請求項１７】
前記レーザ装置から発するレーザ光を広げる手段を有する請求項１４に記載の半導体レーザ装置。
【請求項１８】
前記レーザ装置を構成する素子ごとの使用環境に応じた波長変動が、±５ｎｍ以内である請求項１４に記載の半導体レーザ装置。
【請求項１９】
前記レーザ装置を構成する素子の少なくとも一つが、格子定数ａを有するＧａＡｓ基板上に設けられ、面内の格子定数ａｗを有するＩｎ１−ｘＧａｘＡｓｙＰ１−ｙ量子井戸層および障壁層からなる発光層を有し、
前記発光層は、前記量子井戸層がε（％）＝（ａｗ−ａ）／ａ×１００で定義される歪εが０．４％≦ε≦１．４％で、その組成が０．１０≦ｙ≦０．４５であり、発光する波長が７００ｎｍ以上７６０ｎｍ以下であることを特徴とする請求項１４に記載の半導体レーザ装置。
【請求項２０】
前記受光素子で検出された複数の光信号を受信し、該複数の光信号を波長ごとに分離する信号分離回路を備えていることを特徴とした、請求項１に記載の生体光計測装置。
【手続補正書】
【提出日】平成20年12月9日(2008.12.9)
【手続補正１】
【補正対象書類名】明細書
【補正対象項目名】０００７
【補正方法】変更
【補正の内容】
【０００７】
【図１】本発明の左右対称のサウンドスピーカー部位を施した履物の参考図。
【図２】本発明のステップで香る充電部位と望遠鏡を履物に表した参考図。
【図３】本発明の音源記充電の参考図。
【図４】本発明の芳香と充電部位とメガネ置き、ライト、時計を施した参考図。
【図５】本発明の履物側面の参考図。
【手続補正２】
【補正対象書類名】明細書
【補正対象項目名】０００８
【補正方法】変更
【補正の内容】
【０００８】１  履物上部の音源機を脱着して充電する部位２  スピーカーを左右に設けた履物部位３  履物敷底のステップジャンプで充電する部位2008229291.tif 000001
５  打楽器のように利用する内部の回転運動充電部位６  ペン、望遠鏡、水や空気の濾過、ライトなど着脱補助部位
【手続補正３】
【補正対象書類名】図面
【補正対象項目名】図５
【補正方法】変更
【補正の内容】
【図５】
2008229291.tif 000002
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
動物に対する局所用外部適用のために適合させた、局所的に受容可能な水性ポアオン（ｐｏｕｒ−ｏｎ）処方物であって、該処方物は、有効な量の水不溶性の昆虫生育制御剤（ＩＧＲ）、懸濁剤、アニオン性界面活性剤、非イオン性界面活性剤または界面活性剤の混合物、および水性キャリアを含有し、該ＩＧＲが、ジフルベンズロンであり、該懸濁剤が、キサンタンガム、コロイドケイ酸、ベントナイト、ポリビニルピロリドン、セルロース誘導体およびアルギネートからなる群より選択され、該界面活性剤または界面活性剤の混合物がアルキル化ナフタレンスルホネート・ホルムアルデヒドポリマー・ナトリウム塩、アルキル多糖類およびアルキルフェノールエトキシレートからなる群より選択され、
該界面活性剤がノニルフェノールエトキシレートおよびアルキル化ナフタレンスルホネート・ホルムアルデヒドポリマー・ナトリウム塩を含み；該加湿質剤がラウリル硫酸ナトリウムであり；そして該濃化剤または懸濁剤がキサンタンガムである、処方物。
【請求項２】
加湿剤、濃化剤、湿潤剤、防腐剤、緩衝剤、消泡剤、希釈剤、賦形剤、アジュバント、キャリア、色素または抗酸化剤をさらに含む、請求項１に記載の処方物。
【請求項３】
前記懸濁剤が、キサンタンガムである、請求項１に記載の処方物。
【請求項４】
前記湿潤剤がポリエチレングリコールである、請求項２に記載の処方物。
【請求項５】
前記ＩＧＲが５〜５０ｇ／Ｌで存在し；前記アニオン性界面活性剤が１〜２０ｇ／Ｌで存在し；前記非イオン性界面活性剤が１０〜１００ｇ／Ｌで存在し；前記加湿剤が１〜２０ｇ／Ｌで存在し、そして前記濃化剤が３〜１０ｇ／Ｌで存在する、請求項２または４に記載の処方物。
【請求項６】
動物に対する局所用外部適用のために適合させた、外部寄生虫を制御するための組成物の調製のための水性ポアオン処方物の使用であって、該処方物は、有効な量の水不溶性の昆虫生育制御剤（ＩＧＲ）、懸濁剤、アニオン性界面活性剤、非イオン性界面活性剤または界面活性剤の混合物、および水性キャリアを含有し、該ＩＧＲが、ジフルベンズロンであり、該懸濁剤が、キサンタンガム、コロイドケイ酸、ベントナイト、ポリビニルピロリドン、セルロース誘導体およびアルギネートからなる群より選択され、該界面活性剤または界面活性剤の混合物がアルキル化ナフタレンスルホネート・ホルムアルデヒドポリマー・ナトリウム塩、アルキル多糖類およびアルキルフェノールエトキシレートからなる群より選択され、
該界面活性剤がノニルフェノールエトキシレートおよびアルキル化ナフタレンスルホネート・ホルムアルデヒドポリマー・ナトリウム塩を含み；該加湿質剤がラウリル硫酸ナトリウムであり；そして該濃化剤または懸濁剤がキサンタンガムである、使用。
【請求項７】
前記加湿剤、濃化剤、湿潤剤、防腐剤、緩衝剤、消泡剤、希釈剤、賦形剤、アジュバント、キャリア、色素、抗酸化剤または推進薬をさらに含む、請求項６に記載の使用。
【請求項８】
前記処方物が噴霧技術として適用される、請求項６に記載の使用。
【請求項９】
前記使用において、液体または気体が推進薬を用いたエアロゾルとして処方がされる、請求項６に記載の使用。
【請求項１０】
前記ＩＧＲが５〜５０ｇ／Ｌで存在する、請求項６に記載の使用。
【請求項１１】
前記寄生虫が、マダニ、ノミ、ハエ、シラミまたはダニを含む、請求項６に記載の使用。
【請求項１２】
前記寄生虫が、ヒツジクロバエ、水牛バエ、妨害バエ（ｎｕｉｓａｎｃｅ  ｆｌｙ）、ウシシラミ、ヒツジシラミ、またはヒツジダニである、請求項９に記載の使用。
【請求項１３】
動物に対する局所用外部適用のために適合させた、局所的に受容可能な水性ポアオン処方物を処方するための方法であって、該方法は、湿潤剤と非イオン系界面活性剤とを均一になるまで混合することにより第１の成分を形成する工程；水を添加し、そして均一になるまで混合する工程；緩衝剤および陰イオン系界面活性剤を添加する工程；昆虫生育制御剤（ＩＧＲ）を添加する工程；湿潤剤と濃化剤とを混合することにより第２の成分を形成する工程；および該第１の成分と該第２の成分とを合わせる工程を包含する、方法。
【請求項１４】
合わされた前記第１の成分と前記第２の成分が、所望の最終容量に希釈される、請求項１３に記載の方法。
【請求項１５】
前記ＩＧＲが粉砕されて、２μｍと５μｍとの間の粒子サイズが形成される、請求項１３に記載の方法。
【請求項１６】
非ヒト動物における外部寄生虫を制御するための方法であって、該方法は、動物に対する局所用外部適用のために適合させた有効な量の水性ポアオン処方物を動物に外用塗布する工程を包含し、該処方物は、有効な量の水不溶性の昆虫生育制御剤（ＩＧＲ）、懸濁剤、アニオン性界面活性剤、非イオン性界面活性剤または界面活性剤の混合物、および水性キャリアを含有し、該ＩＧＲが、ジフルベンズロンであり、該懸濁剤が、キサンタンガム、コロイドケイ酸、ベントナイト、ポリビニルピロリドン、セルロース誘導体およびアルギネートからなる群より選択され、該界面活性剤または界面活性剤の混合物がアルキル化ナフタレンスルホネート・ホルムアルデヒドポリマー・ナトリウム塩、アルキル多糖類およびアルキルフェノールエトキシレートからなる群より選択され、
該界面活性剤がノニルフェノールエトキシレートおよびアルキル化ナフタレンスルホネート・ホルムアルデヒドポリマー・ナトリウム塩を含み；該加湿質剤がラウリル硫酸ナトリウムであり；そして該濃化剤または懸濁剤がキサンタンガムである、方法。
【請求項１７】
前記動物がヒツジである、請求項１６に記載の方法。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
強化繊維基材の複数枚が接着樹脂材料を介して積層された積層体を、コの字形の内側形状をなす内型上に配置し、該積層体を内型表面に押し付けるよう加圧すると同時に加熱して積層体の形状を固定するプリフォームの製造方法であって、上記積層体を内型表面に押し付けるに際し、コの字形に取り囲む少なくとも２つの外型により押圧することを特徴とするプリフォームの製造方法。
【請求項２】
前記外型が、コの字形の中央面部分から２分割した２つのＬ字型からなる請求項１に記載のプリフォームの製造方法。
【請求項３】
前記外型が、少なくともコの字形の中央面を押す中央型と、少なくともコの字形の側面を押す２つの側面型からなる請求項１に記載のプリフォームの製造方法。
【請求項４】
前記外型の中央型が押し付ける範囲が、コの字形の中央面および、コの字形の中央面とコの字形の側面との間を繋ぐ曲面部を含むものである請求項３に記載のプリフォームの製造方法。
【請求項５】
前記積層体を内型表面に押し付ける順番を、中央型を押圧した後に側面型を押圧する請求項３または４に記載のプリフォームの製造方法。
【請求項６】
前記積層体を加熱するに際し、内型と外型の双方より熱を加える請求項１〜５のいずれかに記載のプリフォームの製造方法。
【請求項７】
強化繊維基材の複数枚が接着樹脂材料を介して積層された積層体のコの字形の成形型の中央面に位置する部分の少なくとも一部を事前に加圧・加熱して固定した後、前記積層体をコの字形の内型上に配置する請求項１〜６のいずれかに記載のプリフォームの製造方法。
【請求項８】
前記積層体を内型表面に押し付けるに際し、積層体と外型の間にコの字形に連続したシート状部材を介在させる請求項１〜７のいずれかに記載のプリフォームの製造方法。
【請求項９】
前記外型により押圧するに際し、予め前記シート状部材に張力を付与してシート状部材を内型表面へ押し付ける請求項８に記載のプリフォームの製造方法。
【請求項１０】
前記内型と外型による型締めおよび型開き動作を交互に繰り返し、型開き時に、積層体を搬送することにより、連続的に長尺のプリフォームを形成する請求項１〜９のいずれかに記載のプリフォームの製造方法。
【請求項１１】
強化繊維基材の複数枚が接着樹脂材料を介して積層された積層体を内型と外型で構成される成形型により加圧すると同時に加熱して積層体の形状を固定するプリフォームの製造装置であって、上記成形型の形状が、コの字形の内側形状をなす内型と、該内型の外周を囲む少なくとも２つの外型により構成されていることを特徴とするプリフォームの製造装置。
【請求項１２】
前記外型が、コの字形の中央面部分から２分割した２つのＬ字型により構成されている請求項１１に記載のプリフォームの製造装置。
【請求項１３】
前記外型形状が、少なくともコの字形の中央面を押す中央型と、少なくともコの字形の側面を押す２つの側面型により構成されている請求項１１に記載のプリフォームの製造装置。
【請求項１４】
前記外型の中央型が、コの字形の中央面および、コの字形の中央面とコの字形の側面とを繋ぐ曲面部を含む型形状を有するものである請求項１３に記載のプリフォームの製造装置。
【請求項１５】
前記内型および外型の間に、コの字形に連続したシート状部材を有する請求項１１〜１４のいずれかに記載のプリフォームの製造装置。
【請求項１６】
前記シート状部材を内型表面へ押し付ける手段を備えている請求項１５に記載のプリフォームの製造装置。
【請求項１７】
前記内型と外型による型締めおよび型開き動作を交互に繰り返す手段と、この開閉動作に合わせて積層体を搬送する搬送手段とを備えている請求項１１〜１６のいずれかに記載のプリフォームの製造装置。
【請求項１８】
前記外型が積層体を押圧し型が開いたあとに積層体を冷却する冷却手段を備えている請求項１１〜１７のいずれかに記載のプリフォームの製造装置。
【手続補正２】
【補正対象書類名】明細書
【補正対象項目名】００２１
【補正方法】削除
【補正の内容】
【手続補正３】
【補正対象書類名】明細書
【補正対象項目名】００２２
【補正方法】変更
【補正の内容】
【００２２】
（１１）強化繊維基材の複数枚が接着樹脂材料を介して積層された積層体を内型と外型で構成される成形型により加圧すると同時に加熱して積層体の形状を固定するプリフォームの製造装置であって、上記成形型の形状が、コの字形の内側形状をなす内型と、該内型の外周を囲む少なくとも２つの外型により構成されていることを特徴とするプリフォームの製造装置。
【手続補正４】
【補正対象書類名】明細書
【補正対象項目名】００２３
【補正方法】変更
【補正の内容】
【００２３】
（１２）前記外型が、コの字形の中央面部分から２分割した２つのＬ字型により構成されている前記（１１）に記載のプリフォームの製造装置。
【手続補正５】
【補正対象書類名】明細書
【補正対象項目名】００２４
【補正方法】変更
【補正の内容】
【００２４】
（１３）前記外型形状が、少なくともコの字形の中央面を押す中央型と、少なくともコの字形の側面を押す２つの側面型により構成されている前記（１１）に記載のプリフォームの製造装置。
【手続補正６】
【補正対象書類名】明細書
【補正対象項目名】００２５
【補正方法】変更
【補正の内容】
【００２５】
（１４）前記外型の中央型が、コの字形の中央面および、コの字形の中央面とコの字形の側面とを繋ぐ曲面部を含む型形状を有するものである前記（１３）に記載のプリフォームの製造装置。
【手続補正７】
【補正対象書類名】明細書
【補正対象項目名】００２６
【補正方法】変更
【補正の内容】
【００２６】
（１５）前記内型および外型の間に、コの字形に連続したシート状部材を有する前記（１１）〜（１４）のいずれかに記載のプリフォームの製造装置。
【手続補正８】
【補正対象書類名】明細書
【補正対象項目名】００２７
【補正方法】変更
【補正の内容】
【００２７】
（１６）前記シート状部材を内型表面へ押し付ける手段を備えている前記（１５）に記載のプリフォームの製造装置。
【手続補正９】
【補正対象書類名】明細書
【補正対象項目名】００２８
【補正方法】変更
【補正の内容】
【００２８】
（１７）前記内型と外型による型締めおよび型開き動作を交互に繰り返す手段と、この開閉動作に合わせて積層体を搬送する搬送手段とを備えている前記（１１）〜（１６）のいずれかに記載のプリフォームの製造装置。
【手続補正１０】
【補正対象書類名】明細書
【補正対象項目名】００２９
【補正方法】変更
【補正の内容】
【００２９】
（１８）前記外型が積層体を押圧し型が開いたあとに積層体を冷却する冷却手段を備えている前記（１１）〜（１７）のいずれかに記載のプリフォームの製造装置。
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
記録ヘッドと、該記録ヘッドにインクを供給するインクタンクとを搭載して移動するためのキャリッジと、
記録媒体を排紙する排紙ローラと、
記録媒体の記録面側に配され前記排紙ローラに従動して回転する拍車と、
前記拍車を記録媒体と当接する位置と記録媒体から離間した位置とに移動させるための拍車ホルダと、
を備え、前記インクタンクは発光部を有し、前記拍車ホルダに前記発光部に対応する受光部を設けることを特徴とするインクジェット記録装置。
【請求項２】
前記インクジェット記録装置は、記録媒体として普通紙、またはトレイに搭載された光ディスクに記録可能であり、前記光ディスクに記録を行うときは前記拍車が前記光ディスクから離間するように前記拍車ホルダを記録媒体の厚み方向へ移動させることを特徴とする請求項１に記載のインクジェット記録装置。
【請求項３】
前記キャリッジは記録媒体の厚み方向に移動可能であることを特徴とする請求項２に記載のインクジェット記録装置。
【請求項４】
前記キャリッジの厚み方向への移動量に対して、前記拍車ホルダの厚み方向の移動量が大きいことを特徴とする請求項３に記載のインクジェット記録装置。
【請求項５】
普通紙に記録を行うときは前記発光部の光軸中心が前記受光部の光軸中心より記録媒体から遠い側に配され、光ディスクに記録を行うときは前記発光部の光軸中心が前記受光部の光軸中心より記録媒体と近い側に配されることを特徴とする請求項４に記載のインクジェット記録装置。
【請求項６】
前記キャリッジは複数のインクタンクを備え、それぞれのインクタンクが発光部を備えていることを特徴とする請求項１ないし５のいずれか１項に記載のインクジェット記録装置。
【請求項７】
前記受光部は、光電素子と該光電素子を覆うカバー部とを備えることを特徴とする請求項１ないし６のいずれか１項に記載のインクジェット記録装置。
【手続補正２】
【補正対象書類名】明細書
【補正対象項目名】００１４
【補正方法】変更
【補正の内容】
【００１４】
本発明は、上記目的を達成するため、記録ヘッドと、該記録ヘッドにインクを供給するインクタンクとを搭載して移動するためのキャリッジと、記録媒体を排紙する排紙ローラと、記録媒体の記録面側に配され前記排紙ローラに従動して回転する拍車と、前記拍車を記録媒体と当接する位置と記録媒体から離間した位置とに移動させるための拍車ホルダと、を備え、前記インクタンクは発光部を有し、前記拍車ホルダに前記発光部に対応する受光部を設けることを特徴とする。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
撮像部と、
前記撮像部により取得された画像の中から、赤目補正すべき領域の候補となる複数の赤目補正候補領域を検出するとともに、検出された赤目補正候補領域の赤目らしさを示す赤目検出信頼度を各前記赤目補正候補領域に対して生成する赤目検出部と、
少なくとも前記赤目検出信頼度に応じて、検出することに成功している度合いのランク付けを各前記赤目補正候補領域に対して行う判定部と、
前記度合いのランクが低い順番に、前記赤目補正候補領域を前記画像とともに順次表示する表示部と、
前記表示部により表示されている前記赤目補正候補領域を赤目補正の対象から削除することを指定させる命令である削除命令を受け付ける入力部と、
前記複数の赤目補正候補領域のうち前記削除命令で指定された赤目補正候補領域を除いた赤目補正候補領域に対して赤目補正を行う赤目補正部と、
を備えたことを特徴とする撮像装置。
【請求項２】
前記判定部は、前記複数の赤目補正候補領域のうち、前記度合いのランクが閾値より低い赤目補正候補領域を、赤目補正の対象から削除すべき候補となる削除候補に決定する決定部を備え、
前記表示部は、前記度合いのランクが低い順番に、前記削除候補を順次表示することを特徴とする請求項１に記載の撮像装置。
【請求項３】
前記画像の中から複数の顔候補領域を検出する顔検出部をさらに備え、
前記判定部は、前記複数の赤目補正候補領域のうち前記顔候補領域に含まれる赤目補正候補領域を第１のランクとし、前記複数の赤目補正候補領域のうち前記顔候補領域に含まれない赤目補正候補領域を前記第１のランクより低い第２のランクとするように、前記度合いのランク付けを行う
ことを特徴とする請求項１に記載の撮像装置。
【請求項４】
前記画像の中から複数の顔候補領域を検出するとともに、検出された顔候補領域の顔らしさを示す顔検出信頼度を各前記顔候補領域に対して生成する顔検出部をさらに備え、
前記判定部は、赤目補正候補領域の前記赤目検出信頼度と、赤目補正候補領域を含む顔候補領域の前記顔検出信頼度とに応じて、前記度合いのランク付けを行う
ことを特徴とする請求項１に記載の撮像装置。
【請求項５】
前記判定部は、赤目補正候補領域の前記赤目検出信頼度のランク付けと赤目補正候補領域を含む顔候補領域の前記顔検出信頼度のランク付けとを各前記赤目補正候補領域に対して行い、前記赤目検出信頼度のランクと前記顔検出信頼度のランクとの組み合わせに応じて前記度合いのランク付けを各前記赤目補正候補領域に対して行う
ことを特徴とする請求項４に記載の撮像装置。
【請求項６】
赤目検出部が、画像の中から、赤目補正すべき領域の候補となる複数の赤目補正候補領域を検出するとともに、検出された赤目補正候補領域の赤目らしさを示す赤目検出信頼度を各前記赤目補正候補領域に対して生成する赤目検出ステップと、
判定部が、少なくとも前記赤目検出信頼度に応じて、検出することに成功している度合いのランク付けを各前記赤目補正候補領域に対して行う判定ステップと、
表示部が、前記度合いのランクが低い順番に、前記赤目補正候補領域を前記画像とともに表示する表示ステップと、
入力部が、前記表示部により表示されている前記赤目補正候補領域を赤目補正の対象から削除することを指定させる命令である削除命令を受け付ける入力ステップと、
赤目補正部が、前記複数の赤目補正候補領域のうち前記削除命令で指定された赤目補正候補領域を除いた赤目補正候補領域に対して赤目補正を行う赤目補正ステップと、
を備えたことを特徴とする画像処理方法。
【請求項７】
請求項６に記載の画像処理方法における各ステップをコンピュータに行わせるためのプログラム。
【請求項８】
画像の中から、赤目補正すべき領域の候補となる複数の赤目補正候補領域を検出するとともに、検出された赤目補正候補領域の赤目らしさを示す赤目検出信頼度を各前記赤目補正候補領域に対して生成する赤目検出部と、
少なくとも前記赤目検出信頼度に応じて、検出することに成功している度合いのランク付けを各前記赤目補正候補領域に対して行う判定部と、
前記度合いのランクが低い順番に、前記赤目補正候補領域を前記画像とともに順次表示する表示部と、
前記表示部により表示されている前記赤目補正候補領域を赤目補正の対象から削除することを指定させる命令である削除命令を受け付ける入力部と、
前記複数の赤目補正候補領域のうち前記削除命令で指定された赤目補正候補領域を除いた赤目補正候補領域に対して赤目補正を行う赤目補正部と、
を備えたことを特徴とする画像処理装置。
【手続補正２】
【補正対象書類名】明細書
【補正対象項目名】発明の名称
【補正方法】変更
【補正の内容】
【発明の名称】撮像装置、画像処理方法、プログラム及び画像処理装置
【手続補正３】
【補正対象書類名】明細書
【補正対象項目名】０００１
【補正方法】変更
【補正の内容】
【０００１】
本発明は、撮像装置、画像処理方法、プログラム及び画像処理装置に関する。
【手続補正４】
【補正対象書類名】明細書
【補正対象項目名】０００８
【補正方法】変更
【補正の内容】
【０００８】
本発明に係る撮像装置は、撮像部と、前記撮像部により取得された画像の中から、赤目補正すべき領域の候補となる複数の赤目補正候補領域を検出するとともに、検出された赤目補正候補領域の赤目らしさを示す赤目検出信頼度を各前記赤目補正候補領域に対して生成する赤目検出部と、少なくとも前記赤目検出信頼度に応じて、検出することに成功している度合いのランク付けを各前記赤目補正候補領域に対して行う判定部と、前記度合いのランクが低い順番に、前記赤目補正候補領域を前記画像とともに順次表示する表示部と、前記表示部により表示されている前記赤目補正候補領域を赤目補正の対象から削除することを指定させる命令である削除命令を受け付ける入力部と、前記複数の赤目補正候補領域のうち前記削除命令で指定された赤目補正候補領域を除いた赤目補正候補領域に対して赤目補正を行う赤目補正部とを備えたことを特徴とする。
【手続補正５】
【補正対象書類名】明細書
【補正対象項目名】００５７
【補正方法】変更
【補正の内容】
【００５７】
ステップＳ５では、判定部７１は、赤目検出処理を完了した旨の情報及び顔検出処理を完了した旨の情報を両方とも受け取ったことに応じて、成功度合い判定処理を行う。なお、成功度合い判定処理の詳細な説明については後述する。
ステップＳ６では、赤目補正部６９が赤目補正処理を行う。なお、赤目補正処理の詳細な説明については後述する。
【手続補正書】
【提出日】平成21年7月6日(2009.7.6)
【手続補正１】
【補正対象書類名】明細書
【補正対象項目名】００１８
【補正方法】変更
【補正の内容】
【００１８】
レベル監視部３８は、例えばＣＰＵ及びメモリによって構成されている。レベル監視部３８内のメモリには、例えば図２に示すような様々な受光量に対応して、高周波阻止コイル３４を介して供給する適切な電圧値との関係が記憶されている。この両者の関係は、受光量が増加する程、供給電圧が増加、例えば非線形に増加するものである。これは、バイポーラトンジスタ１８の特性に応じて決定されている。レベル監視部３８は、供給されたレベル検出用兼バイアス用抵抗器１０の両端間電圧をデジタル化し、デジタル受光量信号に変換する。このデジタル受光量信号に対応する電圧値が、メモリから読み出され、Ｄ／Ａ変換器４０でアナログ電圧に変換され、バッファアンプ４２から高周波阻止コイル３４に供給される。これによって、上述したバイアス可変回路３６及びバイポーラトランジスタ１８のコレクタに供給される電圧の値が変化する。
【手続補正書】
【提出日】平成21年2月4日(2009.2.4)
【手続補正１】
【補正対象書類名】明細書
【補正対象項目名】００３７
【補正方法】変更
【補正の内容】
【００３７】
次に、色補正部２３は、Ｓ３で生成されたラスタ画像内の注目画素に対して、特色版の画像データ（位置情報）に含まれる当該注目画素の画素値（色空間値）に基づいて、色補正を行うか否かの判定を行う（Ｓ４）。前述の例については、注目画素の画素値が０である場合に、色補正を行うと判定する。そして、色補正を行うと判定した場合、注目画素に対して所定の色補正処理を実行する（Ｓ５）。色補正部２３は、このＳ４及びＳ５の処理をラスタ画像内の全ての画素に対して、繰り返して実行する。これにより、ラスタ画像に対して、選択的な色補正が実行される。
【手続補正書】
【提出日】平成21年3月26日(2009.3.26)
【手続補正１】
【補正対象書類名】特許請求の範囲
【補正対象項目名】請求項１
【補正方法】変更
【補正の内容】
【請求項１】
一端を尖端部に形成した長尺の中空筒と該中空筒の長さと少なくとも略等しい長さを有し且つ該中空筒内に前後動自在に嵌挿した可動杆とから成る捕獲用竿。
【手続補正２】
【補正対象書類名】特許請求の範囲
【補正対象項目名】請求項２
【補正方法】変更
【補正の内容】
【請求項２】
該長尺の中空筒に少なくとも1個所に窓を開口したことを特徴とする請求項1に記載の捕獲用竿。
【手続補正３】
【補正対象書類名】明細書
【補正対象項目名】０００４
【補正方法】変更
【補正の内容】
【０００４】
本発明は、一端を尖端部に形成した長尺の中空筒と該中空筒の長さと少なくとも等しい長さを有し且つ該中空筒内に前後動自在に嵌挿した可動杆とから成る捕獲用竿に存する。
更に本発明は、上記の発明において、該長尺の中空筒に少なくとも1個所に窓を開口したことを特徴とする請求項1に記載の捕獲用竿。
更に本発明は、捕獲法を提供するもので、本発明の前記の捕獲用竿の該中空筒の尖端部に取り付けた餌に捕獲対象の小動物を乗り移らせた後、該捕獲用竿の該尖端部を、受け容器の上方に移動させ、その位置で、該可動杆を前進させ該餌を押し該尖端部から該餌を離脱させ、該小動物と共に該受け容器内へ落下させることを特徴とする捕獲法。
更に本発明は、上記の捕獲法において、該受け容器は、網本体の深さ方向の中間部の全周を、柔軟で且つ滑性を有する面材で構成して成る捕獲用網であることを特徴とする。
【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
撮像面で受光した光量に応じて電荷を蓄積する撮像素子と、
前記撮像面を遮光する遮光羽根を走行させる遮光手段と、
前記撮像面の領域毎に電荷蓄積を開始する走査を行う走査手段と、
前記遮光羽根の走行を開始させるタイミング及び前記走査手段による前記電荷蓄積を開始する走査を行うタイミングを制御して前記撮像面の露光時間を制御する制御手段と、
前記撮像素子に設けられた複数の一部領域に蓄積された電荷に基づいて、前記撮像面の領域毎に目標とする露光時間と実際の露光時間との差分を演算する演算手段と、
前記演算手段により演算された前記差分に基づいて画像データの輝度補正を行う補正手段と、を有することを特徴とする撮像装置。
【請求項２】
前記複数の一部領域は、前記遮光羽根の走行する方向に位置をずらして設けられることを特徴とする請求項１に記載の撮像装置。
【請求項３】
前記演算手段は、前記電荷蓄積を開始する走査を行ってから前記遮光羽根を走行させずに蓄積された前記電荷を読み出して得られる第１の蓄積電荷量と、前記電荷蓄積を開始する走査を行ってから前記遮光羽根を走行させた後で蓄積された前記電荷を読み出して得られる第２の蓄積電荷量とに基づいて、前記撮像面の領域毎に目標とする露光時間と実際の露光時間との差分を演算することを特徴とする請求項１または２に記載の撮像装置。
【請求項４】
撮像面で受光した光量に応じて電荷を蓄積する撮像素子と、前記撮像面を遮光する遮光羽根を走行させる遮光手段と、前記撮像面の領域毎に電荷蓄積を開始する走査を行う走査手段と、を有する撮像装置の制御方法であって、
前記遮光羽根の走行を開始させるタイミング及び前記走査手段による前記電荷蓄積を開始する走査を行うタイミングを制御して前記撮像面の露光時間を制御する制御ステップと、
前記撮像素子に設けられた複数の一部領域に蓄積された電荷に基づいて、前記撮像面の領域毎に目標とする露光時間と実際の露光時間との差分を演算する演算ステップと、
前記演算ステップで演算された前記差分に基づいて画像データの輝度補正を行う補正ステップと、を有することを特徴とする撮像装置の制御方法。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】００３０
【補正方法】変更
【補正の内容】
【００３０】
上記課題を解決するため、本願にかかる発明の一つは、撮像面で受光した光量に応じて電荷を蓄積する撮像素子と、前記撮像面を遮光する遮光羽根を走行させる遮光手段と、前記撮像面の領域毎に電荷蓄積を開始する走査を行う走査手段と、前記遮光羽根の走行を開始させるタイミング及び前記走査手段による前記電荷蓄積を開始する走査を行うタイミングを制御して前記撮像面の露光時間を制御する制御手段と、前記撮像素子に設けられた複数の一部領域に蓄積された電荷に基づいて、前記撮像面の領域毎に目標とする露光時間と実際の露光時間との差分を演算する演算手段と、前記演算手段により演算された前記差分に基づいて画像データの輝度補正を行う補正手段と、を有することを特徴とするものである。
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
記録媒体に記録された複数のシーンの画像データを再生する再生手段と、
メモリと、
前記再生手段により再生された画像データを用いて、前記複数のシーンの代表画像を示す代表画像データを生成し、前記メモリに蓄積する代表画像生成手段と、
前記メモリに蓄積された代表画像データを用いて前記代表画像の一覧画面を生成し、表示装置に表示する表示制御手段と、
前記記録媒体に記録された画像データのうち、連続する予め決められたシーンの代表画像データをそれぞれ生成して前記メモリに蓄積し、前記予め決められたシーン以外のシーンについてはその一部のシーンを選択し、前記選択したシーンの代表画像データを生成して前記メモリに蓄積するように前記代表画像生成手段を制御する制御手段とを備える再生装置。
【請求項２】
前記一覧画面に表示された複数の代表画像のうち再生するシーンの代表画像を選択する選択手段を備え、前記予め決められたシーンは、前記一覧画面において選択されている代表画像のシーン及び前記選択されている代表画像のシーンに連続したシーンであることを特徴とする請求項１に記載の再生装置。
【請求項３】
前記制御手段は、前記選択手段により前記一覧画面の切り替え指示があると、前記メモリに蓄積された代表画像データのうち切り替え後の一覧画面に表示すべき代表画像データを用いて前記切り替え後の一覧画面を生成して表示するように前記表示制御手段を制御することを特徴とする請求項２に記載の再生装置。
【請求項４】
前記制御手段は、前記切り替え指示があると、前記切り替え後の一覧画面において選択される代表画像のシーンに連続する予め決められたシーンのうち、前記メモリに蓄積されている代表画像データ以外のシーンの画像データを再生するように前記再生手段を制御し、前記再生された画像データを用いて代表画像データを生成して前記メモリに蓄積するように前記代表画像生成手段を制御することを特徴とする請求項３に記載の再生装置。
【請求項５】
前記予め決められたシーンは、前記選択されている代表画像のシーンに連続した所定数のシーンであることを特徴とする請求項２から４の何れか１項に記載の再生装置。
【請求項６】
前記画像データは符号化されており、前記再生手段により再生された画像データを復号する復号手段を備え、前記代表画像生成手段は前記復号手段により復号された画像データのサイズを縮小することにより前記代表画像データを生成することを特徴とする請求項１から５の何れか１項に記載の再生装置。
【請求項７】
記録媒体に記録された複数のシーンの画像データを再生する再生装置の制御方法であって、
前記記録媒体から再生された画像データを用いて、前記複数のシーンの代表画像を示す代表画像データを生成し、メモリに蓄積する代表画像生成工程と、
前記メモリに蓄積された代表画像データを用いて前記代表画像の一覧画面を生成し、表示装置に表示する表示工程とを有し、
前記代表画像生成工程は、前記記録媒体に記録された画像データのうち、連続する予め決められたシーンの代表画像データをそれぞれ生成して前記メモリに蓄積し、前記予め決められたシーン以外のシーンについてはその一部のシーンを選択し、前記選択したシーンの代表画像データを生成して前記メモリに蓄積することを特徴とする制御方法。
【請求項８】
記録媒体に記録された複数のシーンの画像データを再生する再生手段と、
メモリと、
前記再生手段により再生された画像データを用いて、前記複数のシーンの代表画像を示す代表画像データを生成し、前記メモリに蓄積する代表画像生成手段と、
前記メモリに蓄積された代表画像データを用いて前記代表画像の一覧画面を生成し、表示装置に表示する表示制御手段と、
前記記録媒体に記録された画像データのうち、連続する予め決められたシーンについては予め決められたサイズの代表画像データをそれぞれ生成して前記メモリに蓄積し、前記予め決められたシーン以外のシーンについては前記予め決められたシーンよりも小さいサイズの代表画像データを生成して前記メモリに蓄積するように前記代表画像生成手段を制御する制御手段とを備える再生装置。
【請求項９】
前記一覧画面に表示された複数の代表画像のうち再生するシーンの代表画像を選択する選択手段を備え、前記予め決められたシーンは、前記一覧画面において選択されている代表画像のシーン及び前記選択されている代表画像のシーンに連続したシーンであることを特徴とする請求項８に記載の再生装置。
【請求項１０】
前記表示制御手段は、前記選択手段により前記一覧画面の切り替え指示があると前記一覧画面を切り替えて表示し、切り替え後の一覧画面において表示する代表画像データが前記小さいサイズであった場合には、前記切り替え後の一覧画面にて表示する代表画像データのサイズを前記予め決められたサイズに拡大した後表示することを特徴とする請求項９に記載の再生装置。
【手続補正２】
【補正対象書類名】明細書
【補正対象項目名】００１２
【補正方法】変更
【補正の内容】
【００１２】
本発明は、記録媒体に記録された複数のシーンの画像データを再生する再生手段と、メモリと、前記再生手段により再生された画像データを用いて、前記複数のシーンの代表画像を示す代表画像データを生成し、前記メモリに蓄積する代表画像生成手段と、前記メモリに蓄積された代表画像データを用いて前記代表画像の一覧画面を生成し、表示装置に表示する表示制御手段と、前記記録媒体に記録された画像データのうち、連続する予め決められたシーンの代表画像データをそれぞれ生成して前記メモリに蓄積し、前記予め決められたシーン以外のシーンについてはその一部のシーンを選択し、前記選択したシーンの代表画像データを生成して前記メモリに蓄積するように前記代表画像生成手段を制御する制御手段とを備える。
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
被写体像を撮像して画像データを得る撮像手段と、
他の機器からの取得要求に応答して、他の機器に対して前記画像データを送信する送信手段と、
前記送信手段による画像データの送信の前に、前記画像データの送信を許可する対象となる他の機器に関する機器情報を受信する受信手段と、
前記撮像手段により得られた画像データと前記受信手段により受信した機器情報とを関連付けて記録する記録制御手段とを有することを特徴とする撮像装置。
【請求項２】
前記取得要求の送信元が、前記画像データと関連付けられた機器情報が示す機器である場合、前記送信手段は前記取得要求の送信元に前記画像データを送信することを特徴とする請求項１に記載の撮像装置。
【請求項３】
前記受信手段により受信した前記他の機器の機器情報を登録する登録手段をさらに有する請求項１または２に記載の撮像装置。
【請求項４】
前記撮像手段により得られた画像データを表示する表示手段をさらに有し、
前記表示手段は、前記受信手段により受信した機器情報を前記画像データとともに表示することを特徴とする請求項１乃至３のいずれか１項に記載の撮像装置。
【請求項５】
前記受信手段は、他の機器を撮像して得られた機器情報を受信することを特徴とする請求項１乃至４のいずれか１項に記載の撮像装置。
【請求項６】
前記機器情報受信手段は、他の機器の所有者を撮像して得られた機器情報を受信することを特徴とする請求項１乃至４のいずれか１項に記載の撮像装置。
【請求項７】
前記記録制御手段は、前記受信手段により機器情報を受信した時間に対して一定範囲内の時間に撮像して得た画像データと、前記機器情報とを関連付けて記録することを特徴とする請求項１乃至６のいずれか１項に記載の撮像装置。
【請求項８】
被写体像を撮像して画像データを得る撮像工程と、
他の機器からの取得要求に応答して、他の機器に対して前記画像データを送信する送信工程と、
前記送信手段による画像データの送信の前に、前記画像データの送信を許可する対象となる他の機器に関する機器情報を受信する機器情報受信工程と、
前記撮像工程で得られた画像データと前記受信工程で受信した機器情報とを関連付けて記録する記録制御工程とを有することを特徴とする撮像装置の制御方法。
【請求項９】
撮像装置を
被写体像を撮像して画像データを得る撮像手段と、
他の機器からの取得要求に応答して、他の機器に対して前記画像データを送信する送信手段と、
前記送信手段による画像データの送信の前に、前記画像データの送信を許可する対象となる他の機器に関する機器情報を受信する機器情報受信手段と、
前記撮像手段により得られた画像データと前記受信手段により受信した前記機器情報とを関連付けて記録する記録制御手段
として機能させるプログラム。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
本発明に係る撮像装置は、被写体像を撮像して画像データを得る撮像手段と、他の機器からの取得要求に応答して、他の機器に対して前記画像データを送信する送信手段と、前記送信手段による画像データの送信の前に、前記画像データの送信を許可する対象となる他の機器に関する機器情報を受信する受信手段と、前記撮像手段により得られた画像データと前記受信手段により受信した機器情報とを関連付けて記録する記録制御手段とを有することを特徴とする。
【手続補正４】
【補正対象書類名】明細書
【補正対象項目名】００１１
【補正方法】変更
【補正の内容】
【００１１】
本発明によれば、撮像装置内の画像ファイルを閲覧させるか否かを接続相手に応じて制御することが可能になる。